【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
近接センサにおいて、表面で反射された信号のピーク強度を検出するステップと、
前記信号のピーク強度を識別するステップと、
第1の参照曲線への識別されたピーク強度の適用に少なくとも部分的に基づいて、前記近接センサから前記表面までの距離にわたる強度の第1の関数を近似するステップであって、前記第1の参照曲線が距離にわたる強度の第2の関数を含むとともに、前記第1の関数が前記表面についての新たな参照曲線を含むステップとを含む方法。
【請求項２】
前記ピーク強度を検出する前記ステップが、前記近接センサに対する前記表面の物理的接触の検出に応答して前記ピーク強度を検出するステップをさらに含む、請求項1に記載の方法。
【請求項３】
前記ピーク強度に少なくとも部分的に基づいて、複数の参照曲線から前記第1の参照曲線を選択するステップをさらに含む、請求項1に記載の方法。
【請求項４】
前記ピーク強度を検出する前記ステップが、ユーザインターフェースにおける選択の検出に応答して前記ピーク強度を検出するステップをさらに含む、請求項1に記載の方法。
【請求項５】
前記第1の参照曲線が、前記表面から反射および受信されたエネルギーの強度と、前記近接センサから前記表面までの前記距離との間の関係を定義する、請求項1に記載の方法。
【請求項６】
前記ピーク強度が、前記表面からの特定の距離において起こり、前記特定の距離が、前記表面の色に実質的に依存しない、請求項1に記載の方法。
【請求項７】
前記新たな参照曲線に少なくとも部分的に基づいて、前記表面までの前記距離を続いて測定するステップと、
前記測定された距離に少なくとも部分的に基づいて、ディスプレイの背面照明をアクティブ化または非アクティブ化するステップとをさらに含む、請求項1に記載の方法。
【請求項８】
前記表面がユーザの頭の一部分を含む、請求項1に記載の方法。
【請求項９】
前記表面までの前記距離が変えられる間に前記ピーク強度を測定するステップをさらに含む、請求項1に記載の方法。
【請求項１０】
表面で反射された信号のピーク強度を検出するための近接センサと、
前記信号のピーク強度を識別し、第1の参照曲線への識別されたピーク強度の適用に少なくとも部分的に基づいて、前記近接センサから前記表面までの距離にわたる強度の第1の関数を近似するためのプロセッサであって、前記第1の参照曲線が距離の強度にわたる第2の関数を含むとともに、前記第1の関数が前記表面についての新たな参照曲線を含む、プロセッサとを備える装置。
【請求項１１】
前記第1の参照曲線が、前記表面から反射および受信されたエネルギーの強度と、前記近接センサから前記表面までの前記距離との間の関係を定義する、請求項10に記載の装置。
【請求項１２】
前記ピーク強度が、前記表面からの特定の距離において起こり、前記特定の距離が、前記表面の反射率に実質的に依存しない、請求項10に記載の装置。
【請求項１３】
前記表面に向かってエネルギーを発するためのエミッタと、
前記表面から反射された前記エネルギーの少なくとも一部分を検出するための検出器と、
前記表面から反射および受信された前記エネルギーの検出された前記一部分に少なくとも部分的に基づいて、前記ピーク強度を生じるためのアナログデジタル変換器(ADC)とをさらに備える、請求項10に記載の装置。
【請求項１４】
前記ピーク強度が起こる距離が、前記エミッタと光検出器との間の間隔に少なくとも部分的に基づく、請求項13に記載の装置。
【請求項１５】
ディスプレイと、
前記距離に少なくとも部分的に基づいて、前記ディスプレイの背面照明をアクティブ化または非アクティブ化するための電子回路とをさらに備える、請求項10に記載の装置。
【請求項１６】
前記表面がユーザの頭の一部分を含む、請求項10に記載の装置。
【請求項１７】
近接センサにおいて、表面で反射された信号のピーク強度を検出するための手段と、
前記信号のピーク強度を識別する手段と、
第1の参照曲線への識別された検出されたピーク強度の適用に少なくとも部分的に基づいて、前記近接センサから前記表面までの距離にわたる強度の第1の関数を近似するための手段であって、前記第1の参照曲線が距離にわたる強度の第2の関数を含むとともに、前記第1の関数が前記表面についての新たな参照曲線を含む、手段とを備える装置。
【請求項１８】
前記ピーク強度を検出するための前記手段が、前記近接センサに対する前記表面の物理的接触の検出に応答して前記ピーク強度を検出するための手段をさらに備える、請求項17に記載の装置。
【請求項１９】
前記ピーク強度に少なくとも部分的に基づいて、複数の参照曲線から前記第1の参照曲線を選択するための手段をさらに備える、請求項17に記載の装置。
【請求項２０】
前記ピーク強度を検出するための前記手段が、ユーザインターフェースにおける選択の検出に応答して前記ピーク強度を検出するための手段をさらに備える、請求項17に記載の装置。
【請求項２１】
前記第1の参照曲線が、前記表面から反射および受信されたエネルギーの強度と、前記近接センサから前記表面までの前記距離との間の関係を定義する、請求項17に記載の装置。
【請求項２２】
前記ピーク強度が、前記表面からの特定の距離において起こり、前記特定の距離が、前記表面の色に実質的に依存しない、請求項17に記載の装置。
【請求項２３】
前記新たな参照曲線に少なくとも部分的に基づいて、前記表面までの前記距離を続いて測定するための手段と、
前記測定された距離に少なくとも部分的に基づいて、ディスプレイの背面照明をアクティブ化または非アクティブ化するための手段とをさらに備える、請求項17に記載の装置。
【請求項２４】
前記表面がユーザの頭の一部分を含む、請求項17に記載の装置。
【請求項２５】
前記表面までの前記距離が変えられる間に前記ピーク強度を測定するための手段をさらに備える、請求項17に記載の装置。
【請求項２６】
非一時的記憶媒体に記憶された機械可読命令を備える非一時的機械可読記憶媒体であって、前記機械可読命令が、特殊目的コンピューティングデバイスによって実行されたことに応答して、前記特殊目的コンピューティングデバイスが、
表面で反射され、近接センサにおいて受信された信号のピーク強度を検出し、
前記信号のピーク強度を識別し、
第1の参照曲線への識別された検出されたピーク強度の適用に少なくとも部分的に基づいて、前記近接センサから前記表面までの距離にわたる強度の第1の関数を近似することを可能にするように適合され、前記第1の参照曲線が距離にわたる強度の第2の関数を含むとともに、前記第1の関数が前記表面についての新たな参照曲線を含む、非一時的機械可読記憶媒体。
【請求項２７】
前記ピーク強度の検出が、前記近接センサに対する前記表面の物理的接触の検出に応答して前記ピーク強度を検出することをさらに含む、請求項26に記載の非一時的機械可読記憶媒体。
【請求項２８】
前記特殊目的コンピューティングデバイスが、前記ピーク強度に少なくとも部分的に基づいて、複数の参照曲線から前記第1の参照曲線を選択するようにさらに適合される、請求項26に記載の非一時的機械可読記憶媒体。
【請求項２９】
前記第1の参照曲線が、前記表面からの距離の関数としての、前記表面から反射および受信されたエネルギーの強度を含む、請求項26に記載の非一時的機械可読記憶媒体。
【請求項３０】
前記ピーク強度が、前記表面からの特定の距離において起こり、前記特定の距離が、前記表面の色に実質的に依存しない、請求項26に記載の非一時的機械可読記憶媒体。
【請求項３１】
前記特殊目的コンピューティングデバイスが、
前記表面に向かってエネルギーを発するためのエミッタと、
前記表面から反射された前記エネルギーの少なくとも一部分を検出するための検出器と、
前記表面から反射された前記エネルギーの検出された前記一部分に少なくとも部分的に基づいて、前記ピーク強度を生じるためのアナログデジタル変換器(ADC)とをさらに備える、請求項26に記載の非一時的機械可読記憶媒体。
【請求項３２】
前記ピーク強度が起こる距離が、前記エミッタと光検出器との間の間隔に少なくとも部分的に基づく、請求項31に記載の非一時的機械可読記憶媒体。
【請求項３３】
前記特殊目的コンピューティングデバイスが、
ディスプレイと、
前記距離に少なくとも部分的に基づいて、前記ディスプレイの背面照明をアクティブ化または非アクティブ化するための電子回路とをさらに備える、請求項26に記載の非一時的機械可読記憶媒体。
【請求項３４】
前記表面がユーザの頭の一部分を含む、請求項26に記載の非一時的機械可読記憶媒体。